(57)【要約】【課題】  魚が掛かると釣糸が引っ張られるという現象に着眼し、釣糸の引っ張り状態を介して魚のアタリや食い付きを正確に釣人に知らせる、魚信報知器を提供することを課題とする。【解決手段】  魚信Ａの検出部Ｂと報知部Ｃとから成る釣竿Ｄに装着でなる、魚信報知器において、該検出部は、支軸１で定角内Ｅで一定の回動抵抗に逆らい進退するテコ体２に設けた２つの糸受け体３の１つが支軸の回動部に設け、他の１つはテコ体の端子に設け、それぞれに引っ掛けてセットでなる道糸Ｆが、魚信の引き荷重Ｐの変化量に同期し、テコ体の糸受け体が停止セット位置４から離れ、回動するテコ体の縁辺２ａが作用し、該報知部に備えたスイッチ体５をＯＮ圧Ｐａし、電源６を介在してなる報知部が作動し、釣人に魚信を知らせる構成にする。【選択図】図１
2013078300.tif 000002
【特許請求の範囲】
【請求項１】
魚信（Ａ）の検出部（Ｂ）と報知部（Ｃ）とから成る釣竿（Ｄ）用の魚信報知器において、該検出部は、支軸（１）で定角内（Ｅ）で一定の回動抵抗を受けながら回動進退するテコ体（２）に設けた２つの糸受け体（３）の１つが支軸の回動部に設け、他の１つはテコ体の端子に設け、それぞれに引っ掛けてセットでなる道糸（Ｆ）が、魚信の引き荷重（Ｐ）の変化量に同期し、テコ体の糸受け体が停止セット位置（４）から離れ、ストッパー（４ｂ）に向け回動するテコ体の縁辺（２ａ）が作動して該報知部に備えたスイッチ体（５）をＯＮ圧（Ｐａ）し、電源（６）を介在してなる報知部が作動し、釣人に魚信を知らせる構成にした事を特徴とする魚信報知器。
【請求項２】
前記するテコ体の回動抵抗の増減を支軸に具備する回動抵抗部材（７）の強弱を調整ネジ（８）にて調整可能にしたことを特徴とする請求項１記載の魚信報知器。
【請求項３】
前記するテコ体の定角内での回動を支軸に具備するバネ（７ａ）にて停止ストッパー（４ａ）に向けてバネ圧を負荷したことを特徴とする請求項１記載の魚信報知器。
【請求項４】
前記する報知部に備えたスイッチ体を電動リール（Ｇ）に接続し、電動リールの釣糸巻上装置（Ｈ）に連動可能にした事を特徴とする請求項１，２項又は３項記載の魚信報知器。
【発明の詳細な説明】
【技術分野】
【０００１】  この発明は釣人が釣の成果を上げる為に釣竿に吊るした釣餌を魚があさったり、食いついたりした時に起こる釣り糸や釣竿の振動や引っ張り負荷等の魚信を検出し、音や光、或いは他の報知手段での感知に依って、素早く釣り人に知らせる事の出来る、釣用具として使われる、魚信報知器に関する。
【背景技術】
【０００２】  この種の従来の技術として、特許文献１、特許文献２、特許文献３に記載され開示され、様々な工夫をこらした発明が知られている。【０００３】  即ち、特許文献１での発明では、魚信の検出手段として、釣竿先端部が魚の引きやアタリの荷重の撓みに反応して、釣竿の先端部に固定して設けた紐の移動を近傍する回転ドラムの連動させ、釣竿の撓みを回動変換し、発光素子と受光素子とで構成する検出手段を介し、これらの発光素子と受光素子の作用からドラムの回転度合（釣竿の撓み）を検出し、ドラムに装備する発光素子とそれに対応して装備する受光素子間での、受光量の変化度合いを知らせる光路を釣竿の長手方向に設けた報知手段にて、光路の変化を釣り人が読み取り釣竿に魚類が掛かったか否かを判断する魚信報知器が開示されている。【０００３】  次に、特許文献２の発明では、魚信の検出手段として、魚信の負荷発生で釣竿と釣り糸の撓みを、釣り糸受けに連動して釣り糸受けを上下に動かし、その動きで報知手段に具備する光や音の電源スイッチの押しボタンをＯＮにすることで、釣竿に魚類が掛かったか否かを判断する魚信報知器が開示されている。【０００４】  次に、特許文献３での発明では、魚信の検出手段として、魚信で発生する釣竿に伝わる振動や衝激を圧電素子と連携することで，圧電素子が発生する起電流を報知手段の具備する音源に通電させ音響にて釣竿に、魚類が掛かったか否かを判断する魚信報知器が開示されている。【０００５】
【特許文献１】特開２００５−１４３５０１号公報
【特許文献２】特開２００８−５７４８号公報
【特許文献３】特開２００８−１１３６４８号公報
【発明の開示】
【発明が解決しようとする課題】
【０００６】  しかしながら、特許文献１での発明での魚信の検出手段は、釣竿の撓みの変化量を元に感知し、更に特許文献２に於いても、更に特許文献３に於いても検出手段は特許文献１と同じような釣竿の撓みの変化を第１儀に利用しての検出手段をとっているが、釣竿の先端の振動や撓みは魚信と無関係に天候悪化での風雨等や荒波の振動でしなやかな釣竿の先端に振動や撓みを誘発し誤動作してしまうという課題があり、更にまた、いずれの文献での検出手段から報知手段えのシフトでのでの構成はいずれもかなりの強烈な魚信でないと効果を出すのに難があり、微動での魚のアタリや引きでの魚信報知器に釣果を上げる事が出来ないという課題が残る。この様な観点から、すこぶる微弱な小物類の魚を始め大物での魚類でも或いは、外部要因に誤動作の無い優れた魚信報知器が望まれて居た。
【課題を解決する為の手段】
【０００７】  この発明は、かかる課題を解決する為に、請求項１の発明は図１での一部断面を示す平面図で説明するに、魚信Ａの検出部Ｂと報知部Ｃとからなる釣竿Ｄ用の魚信報知器において、該検出部は、支軸１で定角内Ｅで一定の回動抵抗に逆らい進退するテコ体２に設けた２つの糸受け体３の１つが支軸の回動部に設け、他の１つはテコ体の端子に設け、それぞれに引っ掛けてセットされた道糸Ｆが、魚信の引き荷重Ｐの変化量に同期し、テコ体の糸受け体が停止セット位置４から離れ、ストッパー４ｂに向けテコ体の縁辺２ａが作用動して該報知部に備えたスイッチ体５をＯＮ圧Ｐａし、電源６を介在してなる報知部が作動し、釣り人に魚信を知らせる構成で成る、魚信報知器にし、これらを収容するケース体は該ケース体に一体化でなる止め具例えば、マジックファスナーで着脱式に釣竿に固定する。
【０００８】  次に請求項２の発明は、図２での断面を示す正面図で説明するに、前記するテコ体の回動抵抗の増減を支軸に具備する回動抵抗部材７の強弱を調整ネジ８にて調整可能での構成での魚信報知器にする。そしてまた、請求項３での発明は、図４での断面での正面図で説明するに、前記するテコ体の定角内での回動を支軸に具備するバネ７ａにて停止ストッパー４ａに向けてバネ圧を負荷した構成での魚信報知器にする。そしてまた、請求項４での発明は、図５での全体斜視図で説明するに、前記する報知部に備えたスイッチ体を電動リールＧに接続し、該電動リールの釣糸巻上装置Ｈに連動構成での魚信報知器にする。
【発明の効果】
【０００９】  本発明は上述の通り構成作用するので、次の優れた効果を奏する。即ち、請求項１での効果は、魚が釣餌に食いついて引き付けた負荷によって釣糸の巻き付いたテコ体が移動し、報知部のスイッチが働き、釣人に光や音響等で魚信を知らせる、釣竿の撓み度合いと無関係に、釣り糸の引きに連動して検出部が作動し報知部に連動する優れた、魚信報知器を提供出来る。
次に、請求項２での効果は、釣餌に食いつく魚類の大物魚の強烈な負荷や小物魚の微弱な負荷に対応出来る、テコ体の回動抵抗を調整出来る魚信報知器を提供出来る。
次に、請求項３での効果は、魚のアタリや引きの食い付きの繰り返しを其の都度引きの戻りを検出と報知の出来る優れた魚信報知器を提供出来る。
次に、請求項４での効果は、魚信の引き込みを検出のスイッチングを電動リールの釣糸巻上装置に連動出来て釣果を上げる事の出来る便利な魚信報知器を提供出来る。
【発明を実施するための最良な形態】
【００１０】  以下に図示の実施例に基づいて本発明を更に詳細に説明する。即ち、図１は本発明での第１実施例の釣竿Ｄ装着での一部断面を示す平面図で、魚が釣餌のアタリや食い付きでの魚信Ａを釣人に速やかに伝達する為、検出部Ｂを介在し報知部Ｃに伝達し、釣人に魚信を知らせる釣竿に装着する魚信報知器で、魚信を感知する為に設けた検出部は、ケースの内側に直立する支軸１に一定の回動抵抗を受けながら差し込まれて定角内Ｅで進退する板状のテコ体２面上にボビン状の２つの糸受け体３を並列して設け、１つが支軸の回動部に設け、他の１つはテコ体の端子に設け、ケースの上面に装備し、該テコ体の縁辺２ａが停止セット位置４からストッパー４ｂに向け除々に回動して接近し個別に装備する報知部に設けたスイッチ体５をＯＮ圧Ｐａし報知部が作動し、釣り人に魚信をしらせるが、報知部に装備する報知具はＬＥＤを使っての発光や音響を使ってのブザーやメロディー或いは、通信を介在しての携帯に伝達したり又は、振動体にて釣人に魚信を知らせる事が出来るが、これらのスイッチ体を作動するのに使われるテコ体の進退回動は、テコ体に一体化する２つの糸受け体に絡ませた道糸が、魚信の引っ張りやアタリ負荷を受け道糸が引き伸ばされて同期し連動する働きが検出部の作動を報知部に連係しての機能が具現する。
【００１１】  次に、図２は本発明の第２実施例の釣竿装着での一部断面を示す平面図で、前記するテコ体の定角内での回動するに受ける抵抗の増減を支軸に具備する回動抵抗部材７の強弱を調整ネジ８のネジ込みとネジ戻しにて調整するが、本実施例では支軸に差し込んだテコ体と支軸のテコ体受け段の間にコイルスプリングを挟んでのスプリングの拡張バネ圧を回動抵抗部材とするが、調整ネジにスプリング座金やゴム座などを挟んでのテコ体の進退する回動抵抗を負荷する等でも良い。これらの回動抵抗の強弱は魚信に生じる大物魚類と小物魚類等の釣魚のターゲットに依って、魚の強烈な引き負荷と魚の微弱な引き負荷の差別を調整することで釣果を上げるに優れた使い勝手の良い魚信報知器を具現している。
【００１２】  次に、図３で、図中の図ａと図ｂは第１実施例での釣竿に本発明の魚信報知器を装着しての平面図を示すもので、図ａは釣初めでの道糸をセットしての形態で図ｂは釣り場で魚信での道糸のアタリや引きでの検出部から報知部に連動しての、釣り人に魚信を知らせる形態を示している。
【００１３】  次に、図４は本発明の第３実施例の釣竿装着形態での断面での正面図で、前記するテコ体の定角内の回動を支軸に具備するバネ７ａにて停止ストッパー４ａに向けてバネ圧を負荷し、常に道糸のセット前に、テコ体の始動が同じ位置から回動がスタートし、魚信のアタリや引きでのテコ体の回動移動での検出部から報知部えの連動が、引きの作動と解除に同期しテコ体の進退を繰り返すことで引き具合を釣り人が察知出来、即座に釣竿でのあおりや口合わせ等が出来釣果を期待出来る魚信報知器の構成である。
【００１４】  次に、図５は本発明の第４実施例の釣竿装着での全体を示しての斜視図で、前記する報知部に備えたスイッチ体を電動リールＧに接続し、電動リールの釣糸巻上装置Ｈに連動が出来る構成で、釣人の釣糸の巻き取りを待たずして、魚信での引き具合での食い付きの検出が即座に感知し取り逃がす事無く魚の引き上げの出来るすこぶる利便性の高い魚信報知器を具現化している。
【図面の簡単な説明】
【００１５】
【図１】  本発明に係わる第１実施例での釣竿装着での一部断面での平面図である。
【図２】  本発明に係わる第２実施例での釣竿装着での一部断面での正面図である。
【図３】  図中ａ図は本発明に係わる第１実施例での使用説明での平面図である。図中ｂ図は本発明に係わる第１実施例での使用説明での平面図である。
【図４】  本発明に係わる第３実施例での釣竿装着での一部断面での正面図である。
【図５】  本発明に係わる第４実施例での釣竿装着での斜視図である。
【符号の説明】
【００１６】Ａ      魚信
Ｂ      検出部
Ｃ      報知部
Ｄ      釣竿
Ｅ      定角内
Ｆ      道糸
Ｇ      電動リール
Ｈ      釣糸巻上装置
Ｐ      引き荷重
Ｐａ    ＯＮ圧
１      支軸
２      テコ体
２ａ    縁辺
３      糸受け体
４      停止セット位置
４ａ    停止ストッパー
４ｂ    ストッパー
５      スイッチ体
６      電源
７      回動抵抗部材
７ａ    バネ
８      調整ネジ
【図１】
2013078300.tif 000003
【図２】
2013078300.tif 000004
【図３】
2013078300.tif 000005
【図４】
2013078300.tif 000006
【図５】
2013078300.tif 000007